(57)【要約】      （修正有）【課題】駆動時のトルク力及びその操作の便利性を如何に向上させることのできる回転式締結装置を提供する。【解決手段】ホルダ１１１と、ホルダの一端に設けられ、レンチに接続されるための入力端１１３と、ホルダの他端に設けられる出力端１１２と、ホルダに設けられる係着部１１４と、を含む回転軸１１０と、出力端に向かって延出して、環状空間１２８を形成する重力部１２１と、環状空間に連通する係着孔１２２と、を含み、回転軸に着脱可能に接続される慣性部材１２０と、を備える回転式締結装置１００。これにより、回転式締結装置全体の重心をより出力端に近づかせ、回転式締結装置の回動モーメントを更に増加させることができる。【選択図】図２
2020116731.tif 000002
【特許請求の範囲】
【請求項１】
ホルダと、前記ホルダの一端に設けられ、レンチに接続されるための入力端と、前記ホルダの他端に設けられる出力端と、前記ホルダに設けられる係着部と、を含む回転軸と、
前記出力端に向かって延出して、環状空間を形成する重力部と、前記環状空間に連通する係着孔と、を含み、前記回転軸に着脱可能に接続される慣性部材と、
を備える回転式締結装置。
【請求項２】
前記係着部は、複数の係着歯を含み、前記係着孔は、前記各係着歯に対応して配合される複数の係着溝を含む請求項１に記載の回転式締結装置。
【請求項３】
前記各係着歯は、カスプ状になる請求項２に記載の回転式締結装置。
【請求項４】
前記慣性部材は、
複数の内壁と、
前記各内壁に設けられる複数の嵌合溝と、
を更に含む請求項１に記載の回転式締結装置。
【請求項５】
前記慣性部材の前記嵌合溝内に嵌設されるＣ型リングを更に備える請求項４に記載の回転式締結装置。
【請求項６】
前記慣性部材は、
前記回転軸の前記入力端に向かって延出する突出部を更に含む請求項１に記載の回転式締結装置。
【請求項７】
前記慣性部材は、
識別用の色を有する後面を更に含む請求項１に記載の回転式締結装置。
【請求項８】
弾性部材と、前記弾性部材の一端に接続されて、前記慣性部材に当接するためのボールと、を含み、前記ホルダに設けられる少なくとも１つの当接ユニットを更に備える請求項１に記載の回転式締結装置。
【請求項９】
前記回転軸は、
前記ホルダの前記入力端に近い一端に設けられ、その内に前記少なくとも１つの当接ユニットが設けられる少なくとも１つの収納溝を更に含む請求項８に記載の回転式締結装置。
【発明の詳細な説明】
【技術分野】
【０００１】
本発明は、回転式締結装置に関し、特に、締結部材に適用され且つ回動モーメントを増加させることのできる回転式締結装置に関する。
【背景技術】
【０００２】
近年、回転式締結装置は、ますます軽量になるが、その中の回動モーメントを制御するためのモータに限られて、その軽量化及びトルク増加の効果を同時に達成し難い。回転式締結装置のトルクを増加させるために、一体成形された慣性部材を有する回転式締結装置が提案されている。しかしながら、このような一体成形された慣性部材が交換されることができなく、回転式締結装置の便利性が更に低下される。
【発明の概要】
【発明が解決しようとする課題】
【０００３】
これに鑑みて、回転式締結装置の駆動時のトルク力及びその操作の便利性を如何に向上させるかは、関連業者の協力する目標となる。
【課題を解決するための手段】
【０００４】
本発明は、慣性部材の重力部の設置によって、回転式締結装置全体の重心をより出力端に近づかせ、回転式締結装置の回動モーメントを更に増加させることのできる回転式締結装置を提供する。
【０００５】
本発明の一態様によると、ホルダと、ホルダの一端に設けられ、レンチに接続されるための入力端と、ホルダの他端に設けられる出力端と、ホルダに設けられる係着部と、を含む回転軸と、出力端に向かって延出して、環状空間を形成する重力部と、環状空間に連通する係着孔と、を含み、回転軸に着脱可能に接続される慣性部材と、を備える回転式締結装置を提供する。
【０００６】
前記態様の回転式締結装置によると、係着部は、複数の係着歯を含んでよく、係着孔は、各係着歯に対応して配合される複数の係着溝を含む。
【０００７】
前記態様の回転式締結装置によると、各係着歯は、カスプ状になってよい。
【０００８】
前記態様の回転式締結装置によると、慣性部材は、複数の内壁と、各内壁に設けられる複数の嵌合溝と、を更に含んでよい。
【０００９】
前記態様の回転式締結装置によると、慣性部材の嵌合溝内に嵌設されるＣ型リングを更に備えてよい。
【００１０】
前記態様の回転式締結装置によると、慣性部材は、回転軸の入力端に向かって延出する突出部を更に含んでよい。
【００１１】
前記態様の回転式締結装置によると、慣性部材は、識別用の色を有してよい後面を更に含んでよい。
【００１２】
前記態様の回転式締結装置によると、弾性部材と、弾性部材の一端に接続されて、慣性部材に当接するためのボールと、を含み、ホルダに設けられる少なくとも１つの当接ユニットを更に備えてよい。
【００１３】
前記態様の回転式締結装置によると、回転軸は、ホルダの入力端に近い一端に設けられ、その内に前記少なくとも１つの当接ユニットが設けられる少なくとも１つの収納溝を更に含んでよい。
【図面の簡単な説明】
【００１４】
【図１】本発明の一実施形態による回転式締結装置を示す模式図である。
【図２】図１の実施形態による回転式締結装置を示す分解図である。
【図３】図１の実施形態による回転式締結装置を断面線Ａ−Ａに沿って示す断面図である。
【発明を実施するための形態】
【００１５】
以下、図面を参照して実施例を説明する。明確に説明するために、多くの実際的な細部を下記叙述で合わせて説明する。しかしながら、これらの実際の細部は本発明を制限するためのものではないことを理解すべきである。つまり、本発明の実施形態の一部において、これらの実際の細部は、必要ないものである。また、図面を簡略化するために、ある従来慣用の構造及び素子は、図面において簡単で模式的に示される。また、繰り返した素子を同じ又は類似な番号で表すことがある。
【００１６】
図１、図２及び図３を参照すると、図１は本発明の一実施形態による回転式締結装置１００を示す模式図であり、図２は図１の実施形態による回転式締結装置１００を示す分解図であり、図３は図１の実施形態による回転式締結装置１００を断面線Ａ−Ａに沿って示す断面図である。図１〜図３から分かるように、回転式締結装置１００は、回転軸１１０と、回転軸１１０に着脱可能に接続される慣性部材１２０と、を備える。
【００１７】
詳しくは、回転軸１１０は、ホルダ１１１と、入力端１１３と、出力端１１２と、係着部１１４と、を含む。入力端１１３は、ホルダ１１１の一端に設けられ、例えば電動レンチ、インパクトレンチ又はトルクレンチ等のレンチ（図示せず）に接続されることに用いられる。入力端１１３は、レンチに接続されるための、矩形であってよい入力孔１１３１を含む。これにより、レンチは、入力孔１１３１によって回転式締結装置１００を駆動させることができる。出力端１１２は、ホルダ１１１の他端に設けられ、出力孔１１２１を含む。出力孔１１２１は、六角形であってよく、例えば、ネジ、ナット又はねじ付きバー等の締結部材に接続及び連動することに用いられる。ここで特に説明すべきなのは、入力孔１１３１及び出力孔１１２１の形状は、図１及び図２の実施形態に限定されない。係着部１１４は、ホルダ１１１に設けられる。慣性部材１２０は、回転軸１１０の係着部１１４に固定され、重力部１２１及び係着孔１２２を含む。重力部１２１は、回転軸１１０の出力端１１２に向かって延出して、環状空間１２８を形成する。係着孔１２２が環状空間１２８に連通する。これにより、レンチは、回転式締結装置１００の回転軸１１０に接続される場合、締結部材を締め込み又は外れるように、慣性部材１２０及び回転軸１１０を駆動させてよい。重力部１２１が回転軸１１０の出力端１１２に向かって延出し、且つ環状空間１２８が回転軸１１０の出力端１１２に対向して設けられるので、慣性部材１２０の重心をより回転軸１１０の出力端１１２へ偏らせる。つまり、回転式締結装置１００が駆動される場合、回転式締結装置１００全体の重心をより出力端１１２に近づかせ、回転式締結装置１００の回動モーメントを更に増加させることができる。
【００１８】
回転軸１１０の係着部１１４は、複数の係着歯１１４１を含み、且つ図２の実施形態において、係着歯１１４１は６つであるが、本発明はこれに限定されない。図２において、係着歯１１４１は、カスプ状になってよい。係着孔１２２は、複数の係着溝１２２１を含み、且つ図２の実施形態において、係着溝１２２１は６つであってよいが、本発明はこれに限定されない。各係着溝１２２１は、各係着歯１１４１に対応して配合される。これにより、慣性部材１２０の係着孔１２２が回転軸１１０の係着部１１４に係着されることで、慣性部材１２０を回転軸１１０に接続されることができる。なお、レンチが回転式締結装置１００を駆動させる場合、係着溝１２２１は、係着歯１１４１の摩損を防止することができる。
【００１９】
異なるサイズの締結部材を締め込み又は外れるために、慣性部材１２０に異なるサイズの出力孔１１２１を有する回転軸１１０が接続されてよい。つまり、慣性部材１２０は、異なるサイズの出力孔１１２１を有する異なる回転軸１１０に係合し又はそれから離脱することができる。これにより、使用者は、締結部材のサイズに応じて異なる回転軸１１０を選択して、締結部材を締め込み又は外れるように、選ばれた回転軸１１０を慣性部材１２０に接続させて、回転式締結装置１００の便利性を向上させることができる。
【００２０】
また図２及び図３を参照すると、慣性部材１２０は、回転軸１１０に更に安定して接続されるように、複数の内壁１２３と、複数の嵌合溝１２４と、を更に含んでよく、回転式締結装置１００は、Ｃ型リング１３０を更に備えてよい。より詳しくは、各嵌合溝１２４が各内壁１２３に設けられ、Ｃ型リング１３０が慣性部材１２０の嵌合溝１２４内に弾性的に嵌設される（図３に示すように）。係着部１１４は、各係着歯１１４１に設けられる複数の固定溝１１４２を更に含み、且つＣ型リング１３０が係着部１１４の固定溝１１４２内に弾性的に嵌設される（図３に示すように）。つまり、慣性部材１２０が回転軸１１０に接続される場合、Ｃ型リング１３０が係着部１１４の固定溝１１４２と慣性部材１２０の嵌合溝１２４との間に弾性的に嵌設されることで、回転軸１１０と慣性部材１２０との接続強度を向上させる。各内壁１２３が２つの係着溝１２２１の間に設けられ、且つ各係着溝１２２１が各係着歯１１４１に対応して配合されるので、慣性部材１２０の各内壁１２３と回転軸１１０の係着部１１４との接触面積を増加させることができる。回転軸１１０は、係着部１１４に接続されるようにホルダ１１１に設けられる環状位置決め部１１５を更に含んでよい。これにより、回転式締結装置１００が駆動される場合、慣性部材１２０が入力端１１３に向かって回転軸１１０から離脱することをＣ型リング１３０によって避けることができ、且つ慣性部材１２０が出力端１１２に向かって回転軸１１０から離脱することを環状位置決め部１１５によって避けることができる。これにより、慣性部材１２０が回転軸１１０に更に確実に係着されて、回転式締結装置１００の回動モーメントを増加させることができる。
【００２１】
慣性部材１２０は、回転軸１１０の入力端１１３に向かって延出する突出部１２６を更に含んでよい。これにより、慣性部材１２０の重心をより出力端１１２に近づかせ、回転式締結装置１００の回動モーメントを増加させる。
【００２２】
慣性部材１２０は、識別用の色を有する後面１２７を更に含んでよい。詳しくは、後面１２７は、フールプルーフ機能を提供することができ、例として、出力端１１２に向かうべきであることを表すように、緑であってよく、これにより、使用者が間違った方向で慣性部材１２０と回転軸１１０とを接続しないようにすることができる。
【００２３】
慣性部材１２０が回転軸１１０から離脱しないように、回転式締結装置１００は、少なくとも１つの当接ユニット１４０を更に備えてよい。当接ユニット１４０は、弾性部材１４１と、ボール１４２と、を含み、入力端１１３に近づくようにホルダ１１１に設けられる。弾性部材１４１はばねであってよく、ボール１４２は鋼球であってよいが、本発明はこの開示内容に限定されない。ボール１４２は、弾性部材１４１の一端に接続されて、慣性部材１２０に当接することに用いられる。より詳しくは、回転軸１１０は、入力端１１３に近づくようにホルダ１１１に設けられる少なくとも１つの収納溝１２９を更に含んでよい。図３から分かるように、当接ユニット１４０が収納溝１２９内に設けられ、弾性部材１４１の他端が収納溝１２９に接続される。慣性部材１２０が回転軸１１０に接続される場合、ボール１４２は、回転軸１１０の収納溝１２９から突出し、慣性部材１２０に当接し、これにより、当接ユニット１４０及びＣ型リング１３０は、慣性部材１２０が回転軸１１０から離脱することを効果的に避けて、回転式締結装置１００全体の構造の安定度を向上させることができる。
【００２４】
以上をまとめると、本発明の回転式締結装置のメリットは、下記の通りである。
【００２５】
一、重力部が回転軸の出力端に向かって延出し、慣性部材の重心をより出力端に近づかせるので、回転式締結装置の回動モーメントを増加させることができる。
【００２６】
二、各係着歯がカスプ状になるので、回転式締結装置の耐用性を向上させることができ、且つ慣性部材がより回転軸に確実に接続され、回転式締結装置の回動モーメントを更に増加させることができる。
【００２７】
三、慣性部材に異なるサイズの出力孔を有する回転軸が接続されて、回転式締結装置の使用の便利性を向上させることができる。
【００２８】
四、突出部が回転軸の入力端へ延出するので、慣性部材の重心をより出力端に近づかせ、回転式締結装置の回動モーメントを増加させることができる。
【００２９】
五、後面が識別用の色を有することで、使用者が間違った方向で慣性部材と回転軸とを接続しないようにする。
【００３０】
六、当接ユニット及びＣ型リングが設けられるので、慣性部材を回転軸に更に確実に接続されることができる。回転式締結装置が駆動される場合、当接ユニット及びＣ型リングによって、慣性部材が回転軸から離脱することを効果的に避けることができ、これにより、回転式締結装置の回動モーメントを増加させることができる。
【００３１】
本発明の実施例を前記の通りに開示したが、それは本発明を限定するものではなく、当業者であれば、本発明の精神や範囲から逸脱せずに、多様の変更や修正を加えてもよいので、本発明の保護範囲は、後の特許請求の範囲で指定した内容を基準とする。
【符号の説明】
【００３２】
１００  回転式締結装置      
１１０  回転軸
１１１  ホルダ
１１２  出力端
１１２１  出力孔
１１３  入力端
１１３１  入力孔
１１４  係着部
１１４１  係着歯
１１４２  固定溝
１１５  環状位置決め部
１２０  慣性部材
１２１  重力部
１２２  係着孔
１２２１  係着溝
１２３  内壁
１２４  嵌合溝
１２６  突出部
１２７  後面
１２８  環状空間
１２９  収納溝
１３０  Ｃ型リング
１４０  当接ユニット
１４１  弾性部材
１４２  ボール
【図１】
2020116731.tif 000003
【図２】
2020116731.tif 000004
【図３】
2020116731.tif 000005